(57)【要約】【課題】ＥＬパネルが回転するＥＬパネルを備えた電子時計を提供すること。【解決手段】指針駆動装置５１からＥＬパネル１０には、指針駆動装置５１と噛合う減速輪列３３とＥＬパネル１０の回転中心部の下面に固着され減速輪列３３と噛合うＥＬパネル回転用歯車３１とを介して回転力が伝達され、ＥＬパネル１０は回転する。ＥＬパネル１０の下面には、円弧状短冊型のＥＬ素子端子１１と１２が接着されている。ハウジング４１に一端が固定され且つＥＬ点灯回路６１に電気的に接続された導電性板ばね部材のＥＬ導通端子２１と２２の他端は、ばね力によってＥＬ素子端子１１と１２にそれぞれ接触している。このような信号伝達経路によって、ＥＬ点灯回路６１からＥＬ素子端子１１とＥＬ素子端子１２には駆動信号が与えられ、回転するＥＬパネル１０は点灯する。【選択図】    図２
2004198170.tif 000002
【特許請求の範囲】
【請求項１】
指針駆動装置が収納されたハウジングと、
回転可能にして前記ハウジングに配置された円盤状ＥＬパネルと、
前記指針駆動装置から前記円盤状ＥＬパネルに回転力を伝達する回転力伝達手段と、
前記ハウジングに配置されたＥＬ点灯回路と、
前記円盤状ＥＬパネルの一対のＥＬ素子端子と前記ＥＬ点灯回路とを電気的に接続する一対の導電性ばね部材のＥＬ導通端子と、
前記導電性ばね部材のＥＬ導通端子のばね力に対向して前記ＥＬパネルを保持するＥＬ導通端子反発力保持部とを有するＥＬパネル付き電子時計。
【請求項２】
前記回転力伝達手段は前記指針駆動装置と噛合う減速輪列と前記ＥＬパネルの回転中心部の下面に固着され前記減速輪列と噛合うＥＬパネル回転用歯車とで構成され、前記一対のＥＬ素子端子は前記ＥＬパネルの下面に対称的に配置されて接着された円弧状短冊型の第１ＥＬ素子端子と第２ＥＬ素子端子とから構成され、更に、前記一対の導電性ばね部材のＥＬ導通端子は前記第１ＥＬ素子端子と第２ＥＬ素子端子にばね力によって接触するようにハウジングに対称的に配置された第１導電性板ばね部材と第２導電性板ばね部材で構成されていることを特徴とする請求項１のＥＬパネル付き電子時計。
【請求項３】
前記回転力伝達手段は前記指針駆動装置と噛合う減速輪列と前記ＥＬパネルの回転中心部の下面に固着され前記減速輪列と噛合う導電性ＥＬパネル回転用歯車とで構成され、前記一対のＥＬ素子端子は前記ＥＬパネルの外周部の下面に配置されて固着された円盤状の第１ＥＬ素子端子と回転中心側の下面に配置されて導電性ＥＬパネル回転用歯車と電気的に接続された円盤状の第２ＥＬ素子端子とから構成され、且つ前記一対の導電性ばね部材のＥＬ導通端子は前記第１ＥＬ素子端子にばね力によって接触するようにハウジングに配置された導電性板ばね部材と前記導電性ＥＬパネル回転用歯車の外周面にばね力によって接触するようにハウジングに配置された導電性コイルばね部材であることを特徴とする請求項１のＥＬパネル付き電子時計。
【請求項４】
前記回転力伝達手段は前記ＥＬパネルの外周部に形成された歯形と前記歯形と噛合う外部動力伝達歯車とで構成され、前記一対のＥＬ素子端子は前記ＥＬパネルの下面に対称的に配置されて固着された円弧状短冊型の第１ＥＬ素子端子と第２ＥＬ素子端子とから構成され、更に、前記一対の導電性ばね部材のＥＬ導通端子は前記第１ＥＬ素子端子と第２ＥＬ素子端子にばね力によって接触するようにハウジングに対称的に配置された第１導電性板ばね部材と第２導電性板ばね部材で構成されていることを特徴とする請求項１のＥＬパネル付き電子時計。
【発明の詳細な説明】
【０００１】
【発明の属する技術分野】
本発明は、ＥＬパネルを点灯したときにキャラクタやロゴ等が表現できる機能を持ったＥＬパネル付き電子時計に関するものである。
【０００２】
【従来の技術】
特許文献１には、指針を照明するためのＥＬパネルを備えた針式電子時計が開示されている。前記ＥＬパネルは、文字板の背面に配置してハウジングに固定されている。図７は、特許文献１に開示されているＥＬパネルを備えた針式電子時計と基本的には同じであって、ＥＬパネルを点灯したときにキャラクタやロゴ等が表現できる機能を持ったＥＬパネル付き針式電子時計の断面図である。
【０００３】
図７において、時計のムーブメントはケース７１の円筒状の収納室に収納されている。前記時計のムーブメントは、指針駆動装置５１を収納したハウジング４１と、ハウジング４１の上端面に配置され固定されたＥＬパネル１０と、ハウジング４１の段部に配置されたＥＬ点灯回路６１と、指針駆動装置５１で駆動される時針、分針及び秒針とからなる指針５２とを含んで構成されている。ＥＬ素子端子１１はＥＬ導通端子２１を介して接続され、ＥＬ素子端子１２はＥＬ導通端子２２をぞれぞれ介してＥＬ点灯回路６１の接続されている。これによってＥＬ点灯回路６１からＥＬパネル１０には駆動信号が与えられ、ＥＬパネル１０は点灯する。ＥＬ素子端子１１と１２、ＥＬ導通端子２１と２２は、カーボンや銀などの導電材料の端子である。なお、文字板７３は透明アクリル板等のような材料を用いて光を透過する特徴があり、ＥＬパネル１０の上面に配置され、ハウジング４１の上端部に固定されている。
【０００４】
図７に示す如き構造の従来のＥＬパネル付き針式電子時計において、ＥＬパネル１０にはキャラクタやロゴが印刷され、ＥＬパネル１０を点灯することによって、前記キャラクタやロゴがユーザーに明瞭に視認できるようになっている。又は、キャラクタやロゴに対応した特別なＥＬパネル電極板を採用し、ＥＬパネル１０を点灯することによって、前記キャラクタやロゴを発光表示させユーザーに明瞭に視認できるようになっている。
【０００５】
【特許文献１】特開平８−３１３６６０号公報
【０００６】
【発明が解決しようとする課題】
しかしながら、図７に示す如き構造の従来のＥＬパネルを備えた針式電子時計では、静止したキャラクタやロゴがＥＬパネル上に現れるだけであるので、動的画像に接する機会が多い現代のユーザーの視覚を心地よく刺激する度合いが小さいという問題があった。
本発明が解決しようとする課題は、ＥＬパネルを点灯したときにキャラクタやロゴ等が表現できる機能を持ったＥＬパネル付き電子時計において、動的画像に接する機会が多い現代のユーザーの視覚を心地よく刺激することができる低価格のＥＬパネル付き電子時計を提供することである。
【０００７】
【課題を解決するための手段】
上記課題を解決するために、ＥＬパネルを点灯したときにキャラクタやロゴ等が表現できる機能を持ったＥＬパネル付き電子時計において、ＥＬパネルを指針駆動装置等で回転させる回転型ＥＬパネル構造とした。
【０００８】
即ち、上記課題を解決するために、ＥＬパネルを点灯したときにキャラクタやロゴ等が表現できる機能を持ったＥＬパネル付き電子時計を、指針駆動装置が収納されたハウジングと、回転可能にして前記ハウジングに配置された円盤状ＥＬパネルと、前記指針駆動装置から前記円盤状ＥＬパネルに回転力を伝達する回転力伝達手段と、前記ハウジングに配置されたＥＬ点灯回路と、前記円盤状ＥＬパネルの一対のＥＬ素子端子と前記ＥＬ点灯回路とを電気的に接続する一対の導電性ばね部材のＥＬ導通端子と、前記導電性ばね部材のＥＬ導通端子のばね力に対向して前記ＥＬパネルを保持するＥＬ導通端子反発力保持部とで構成した。
【０００９】
そして、上記ＥＬパネルを点灯したときにキャラクタやロゴ等が表現できる機能を持ったＥＬパネル付き電子時計において、前記回転力伝達手段は前記指針駆動装置と噛合う減速輪列と前記ＥＬパネルの回転中心部の下面に固着され前記減速輪列と噛合うＥＬパネル回転用歯車とで構成され、前記一対のＥＬ素子端子は前記ＥＬパネルの下面に対称的に配置されて固着された円弧状短冊型の第１ＥＬ素子端子と第２ＥＬ素子端子とから構成され、更に、前記一対の導電性ばね部材のＥＬ導通端子は前記第１ＥＬ素子端子と第２ＥＬ素子端子にばね力によって接触するようにハウジングに対称的に配置された第１導電性板ばね部材と第２導電性板ばね部材で構成されていることを特徴とするものである。
【００１０】
または、上記ＥＬパネルを点灯したときにキャラクタやロゴ等が表現できる機能を持ったＥＬパネル付き電子時計において、前記回転力伝達手段は前記指針駆動装置と噛合う減速輪列と前記ＥＬパネルの回転中心部の下面に固着され前記減速輪列と噛合う導電性ＥＬパネル回転用歯車とで構成され、前記一対のＥＬ素子端子は前記ＥＬパネルの外周部の下面に配置されて固着された円盤状の第１ＥＬ素子端子と回転中心側の下面に配置されて導電性ＥＬパネル回転用歯車と電気的に接続された円盤状の第２ＥＬ素子端子とから構成され、且つ前記一対の導電性ばね部材のＥＬ導通端子は前記第１ＥＬ素子端子にばね力によって接触するようにハウジングに配置された導電性板ばね部材と前記導電性ＥＬパネル回転用歯車の外周面にばね力によって接触するようにハウジングに配置された導電性コイルばね部材であることを特徴とするものである。
【００１１】
或いは、上記ＥＬパネルを点灯したときにキャラクタやロゴ等が表現できる機能を持ったＥＬパネル付き電子時計において、前記回転力伝達手段は前記ＥＬパネルの外周部に形成された歯形と前記歯形と噛合う外部動力伝達歯車とで構成され、前記一対のＥＬ素子端子は前記ＥＬパネルの下面に対称的に配置されて固着された円弧状短冊型の第１ＥＬ素子端子と第２ＥＬ素子端子とから構成され、更に、前記一対の導電性ばね部材のＥＬ導通端子は前記第１ＥＬ素子端子と第２ＥＬ素子端子にばね力によって接触するようにハウジングに対称的に配置された第１導電性板ばね部材と第２導電性板ばね部材で構成されていることを特徴とするものである。
【００１２】
【発明の実施の形態】
本発明の第１実施形態のＥＬパネルを備えた電子時計は、図１の平面図と図２の断面図に示す如く、回転中心に貫通穴を有する円盤状のＥＬパネル１０を有する。ＥＬパネル１０の外周部の下面には所定幅の円盤状のＥＬ素子端子が接着されている。前記円盤状のＥＬ素子端子は略半分に分割され、円弧状短冊型のＥＬ素子端子１１とＥＬ素子端子１２とを形成している。ＥＬパネル１０は、時針や秒針等の指針５２の回転軸と同軸にして配置されたＥＬパネル回転用歯車３１に固着されている。
【００１３】
ＥＬパネル１０は、透明基板、透明な第１電極板、ＥＬ物質、絶縁物、第２電極板をこの順に積層して構成された一般的なものである。そして、前記透明な第１電極板の端子がＥＬ素子端子１１であり、前記第２電極板の端子がＥＬ素子端子１２である。
【００１４】
ＥＬパネル回転用歯車３１は、上部円板部と下部円板部が筒状体の両端に一体に形成された歯車であって、前記下部円板部には減速輪列３３と噛合う歯が形成されている。ＥＬパネル１０は、その内周部をＥＬパネル回転用歯車３１の上部円板部の上面に接着して、ＥＬパネル回転用歯車３１に固着されている。ＥＬパネル１０は、指針駆動装置５１から減速輪列３３を介してＥＬパネル回転用歯車３１に回転動力が伝達されて、指針駆動装置５１により回転させられる。
【００１５】
第１実施形態において、ＥＬ素子端子１１は、導電性板ばね部材のＥＬ導通端子２１を介してＥＬ点灯回路６１に接続されている。また、ＥＬ素子端子１２は、導電性板ばね部材のＥＬ導通端子２２を介してＥＬ点灯回路６１と接続されている。ＥＬ導通端子２１の一端はＥＬ点灯回路６１に電気的に接続され且つハウジング４１に固定され、他端はＥＬ素子端子１１の表面にばね力により接触させられている。同様に、ＥＬ導通端子２２の一端はＥＬ点灯回路６１に電気的に接続され且つハウジング４１に固定され、他端はＥＬ素子端子１２の表面にばね力により接触させられている。このような駆動信号の伝達経路構造により、ＥＬ点灯回路６１に設けられた集積回路から昇圧回路を経由して、ＥＬパネル１０に駆動信号が伝達されると、ＥＬパネル１０が点灯する。
【００１６】
回転型ＥＬパネル１０を備える第１実施形態においては、ＥＬ素子端子１１は導電性板ばね部材のＥＬ導通端子２１に、ＥＬ素子端子１２は導電性板ばね部材のＥＬ導通端子２２にそれぞれ接触しながら回転する。そこで、ＥＬ素子端子１１、ＥＬ素子端子１２、ＥＬ導通端子２１、ＥＬ導通端子２２は、カーボンや銀などのペースト状導電材料の端子でなく、ＦＰＣの銅箔パターンや銅板等の金属等で接点補強した端子を用い、端子が接触して回転することによる端子磨耗を減少させている。
【００１７】
第１実施形態におけるＥＬパネル１０は、その回転中心側の下面に配置されて固着されたＥＬパネル回転用歯車３１と、その下面に接着されたＥＬ素子端子１１とＥＬ素子端子１２とを有するので、ＥＬパネル重量がこれら部材の分だけ増加している。このため、ＥＬパネル１０を回転させる場合、これらによる重量増加や、ＥＬ導通端子２１とＥＬ導通端子２２によるバネ部材の反発力による慣性モーメントの増加が起こる。そこで、前記慣性モーメントの増加にもかかわらず、ＥＬパネル１０を確実に回転動作させるために、指針駆動装置５１と接続された減速輪列３３で回転トルクを増加させている。
【００１８】
要するに、本発明の第１実施形態のＥＬパネル付き電子時計は、指針駆動装置５１からＥＬパネル１０に回転力を伝達する回転力伝達手段が、指針駆動装置５１と噛合う減速輪列３３とＥＬパネル１０の回転中心部の下面に固着され減速輪列３３と噛合うＥＬパネル回転用歯車３１とで構成されていることを特徴とするものである。また、ＥＬ点灯回路６１から回転型ＥＬパネル１０への駆動信号の伝達経路は、円弧状短冊型のＥＬ素子端子１１と導電性板ばね部材のＥＬ導通端子２１とからなる第１信号伝達経路と、円弧状短冊型のＥＬ素子端子１２と導電性板ばね部材のＥＬ導通端子２２とからなる第２信号伝達経路とによって形成されていることを特徴とするものである。そして、導電性板ばね部材のＥＬ導通端子２１と２２のばね力に対向してＥＬパネル１０を保持するために、ＥＬ導通端子反発力保持部４３がＥＬパネル１０の外周部の上面側に配置されている。
【００１９】
次に、本発明の第２実施形態のＥＬパネル付き電子時計は、図３の平面図と図４の断面図に示す如く、回転中心に貫通穴を有する円盤状のＥＬパネル１０を有する。ＥＬパネル１０の外周部の下面には所定幅の円盤状のＥＬ素子端子１１が、内周部の下面に固着された所定幅の円盤状のＥＬ素子端子１２がそれぞれ固着されている。ＥＬパネル１０は、時針や秒針等の指針５２の回転軸と同軸にして配置されたＥＬパネル回転用歯車３１に固着されている。
【００２０】
ＥＬパネル回転用歯車３１は、上部円板部と下部円板部及び中間円板部が筒状体の両端と中間に一体に形成された導電性材料製の歯車であって、前記下部円板部には減速輪列３３と噛合う歯が形成されている。ＥＬパネル１０は、その内周部をＥＬパネル回転用歯車３１の上部円板部の上面に固着して、ＥＬパネル回転用歯車３１に固着されている。ＥＬパネルは、指針駆動装置５１から減速輪列３３を介して導電性ＥＬパネル回転用歯車３１に回転動力が伝達されて、指針駆動装置５１により回転させられる。
【００２１】
第２実施形態において、ＥＬ素子端子１１は、導電性板ばね部材のＥＬ導通端子２１を介してＥＬ点灯回路６１に接続されている。他方、ＥＬ素子端子１２は、導電性コイルばね部材のＥＬ導通端子２２と、ＥＬパネル１０はの回転中心側の下面に配置されて固着された導電性のＥＬパネル回転用歯車３１とを介してＥＬ点灯回路６１と接続されている。ＥＬ導通端子２１の一端はＥＬ点灯回路６１に電気的に接続され且つハウジング４１に固定され、他端はＥＬ素子端子１１の表面にばね力により接触させられている。他方、導電性コイルばね部材のＥＬ導通端子２２の一端はＥＬ点灯回路６１に電気的に接続され且つハウジング４１に固定され、他端は導電性ＥＬパネル回転用歯車３１の外周面にばね力により接触させられている。このような駆動信号の伝達経路構造により、ＥＬ点灯回路６１に設けられた集積回路から昇圧回路を経由して、ＥＬパネル１０に駆動信号が伝達されると、ＥＬパネル１０が点灯する。
【００２２】
回転型ＥＬパネル１０を備える本発明においては、ＥＬ素子端子１１は導電性板ばね部材のＥＬ導通端子２１に接触しながら回転する。また、ＥＬ導通端子２２は、導電性ＥＬパネル回転用歯車３１の外周面に接触しながら回転する。そこで、ＥＬ素子端子１１、ＥＬ導通端子２１、ＥＬ導通端子２２、導電性のＥＬパネル回転用歯車３１の外周面の接点部は、カーボンや銀などのペースト状導電材料の端子でなく、ＦＰＣの銅箔パターンや銅板等の金属等で接点補強した端子を用い、端子が接触して回転することによる端子磨耗を減少させている。
【００２３】
第２実施形態におけるＥＬパネル１０は、その回転中心側の下面に配置されて固着された導電性ＥＬパネル回転用歯車３１と、その下面に固着されたＥＬ素子端子１１とＥＬ素子端子１２とを有するので、ＥＬパネル重量がこれら部材の分だけ増加している。このため、ＥＬパネル１０を回転させる場合、これらによる重量増加や、ＥＬ導通端子２１とＥＬ導通端子２２によるバネ部材の反発力による慣性モーメントの増加が起こる。そこで、前記慣性モーメントの増加にもかかわらず、ＥＬパネル１０を確実に回転動作させるために、指針駆動装置５１と接続された減速輪列３３で回転トルクを増加させている。
【００２４】
要するに、本発明の第２実施形態のＥＬパネル付き電子時計は、指針駆動装置５１からＥＬパネル１０に回転力を伝達する回転力伝達手段が、指針駆動装置５１と噛合う減速輪列３３とＥＬパネル１０の回転中心部の下面に固着され減速輪列３３と噛合う導電性ＥＬパネル回転用歯車３１とで構成されていることを特徴とするものである。また、円盤状のＥＬ素子端子１１と導電性板ばね部材のＥＬ導通端子２１とからなる第１信号伝達経路と、円盤状のＥＬ素子端子１２と導電性ＥＬパネル回転用歯車３１と導電性コイルばね部材のＥＬ導通端子２２とからなる第２信号伝達経路とによって形成されていることを特徴とするものである。
そして、導電性板ばね部材のＥＬ導通端子２１のばね力に対向してＥＬパネル１０を保持するために、ＥＬ導通端子反発力保持部４３がＥＬパネル１０の外周部の上面側に配置されている。
【００２５】
更に、本発明の第３実施形態のＥＬパネルを備えた電子時計は、図５の平面図と図６の断面図に示す如く、回転中心に貫通穴を有する円盤状のＥＬパネル１０を有する。ＥＬパネル１０の外周部の下面には所定幅の円盤状のＥＬ素子端子が固着されている。前記円盤状のＥＬ素子端子は略半分に分割されて円弧状短冊型のＥＬ素子端子１１と円弧状短冊型のＥＬ素子端子１２とを形成している。前記円盤状のＥＬ素子端子の外周には外部動力伝達歯車３４と噛合うＥＬパネル歯形３２が形成されている。
【００２６】
ＥＬパネル１０は、時針や秒針等の指針５２の回転軸と同軸にして配置されたＥＬパネル保持部ハウジング４２に摺動可能にして載置されている。ＥＬパネル１０は、指針駆動装置５１から外部動力伝達歯車３４を介してＥＬパネル歯形３２に回転動力が伝達されて、指針駆動装置５１により回転させられる。また、ＥＬパネル１０は、リューズ７２から外部動力伝達歯車３４を介してＥＬパネル歯形３２に回転動力が伝達されて、リューズ７２により回転させられることも可能になっている。なお、外部動力伝達歯車３４を指針駆動装置５１に係合させる機構、外部動力伝達歯車３４をリューズ７２に係合させる機構、及び、これら２つの係合を切換える機構は、通常の時計の切換構造を応用して実現できる。
【００２７】
第３実施形態において、ＥＬ素子端子１１は、導電性板ばね部材のＥＬ導通端子２１を介してＥＬ点灯回路６１に接続されている。また、ＥＬ素子端子１２は、導電性板ばね部材のＥＬ導通端子２２を介してＥＬ点灯回路６１に接続されている。ＥＬ導通端子２１の一端はＥＬ点灯回路６１に電気的に接続され且つハウジング４１に固定され、他端はＥＬ素子端子１１の表面にばね力により接触させられている。同様に、ＥＬ導通端子２２の一端はＥＬ点灯回路６１に電気的に接続され且つハウジング４１に固定され、他端はＥＬ素子端子１２の表面にばね力により接触させられている。このような駆動信号の伝達経路構造により、ＥＬ点灯回路６１に設けられた集積回路から昇圧回路を経由して、ＥＬパネル１０に駆動信号が伝達されると、ＥＬパネル１０が点灯する。
【００２８】
要するに、本発明の第３実施形態のＥＬパネル付き電子時計は、指針駆動装置５１からＥＬパネル１０に回転力を伝達する回転力伝達手段が、ＥＬパネル１０の外周部に形成された歯形３２と前記歯形３２と噛合う外部動力伝達歯車３４とで構成されていることを特徴とするものである。また、ＥＬ点灯回路６１から回転型ＥＬパネル１０への駆動信号の伝達経路は、円弧状短冊型のＥＬ素子端子１１と導電性板ばね部材のＥＬ導通端子２１とからなる第１信号伝達経路と、円弧状短冊型のＥＬ素子端子１２と導電性板ばね部材のＥＬ導通端子２２とからなる第２信号伝達経路とによって形成されていることを特徴とするものである。そして、導電性板ばね部材のＥＬ導通端子２１と２２のばね力に対向してＥＬパネル１０を保持するために、ＥＬ導通端子反発力保持部４３がＥＬパネル１０の外周部の上面側に配置されている。
【００２９】
以上詳細に説明した通り、本発明はＥＬパネル１０を点灯したときにキャラクタやロゴ等が表現できる機能を持った電子時計であって、ＥＬパネル１０を指針駆動装置５１等で回転させる回転型ＥＬパネル構造としたことを特徴とするものである。従って、本発明により、ＥＬパネルにロゴやキャラクタを印刷し又は発光形状で表現し、ＥＬパネル１０を回転させると同時に発光させて、視覚的に動きのあるＥＬパネル付き電子時計を提供できる。また、ＥＬパネル回転用輪列を正逆転するように駆動回路と駆動輪列を設け、ＥＬパネル１０を正転させたり逆転させることによって、視覚性を更に高めることができる。更に、多機能電子時計において、リューズやボタンに連動して現在のモードを示す表示板に回転可能なＥＬパネル１０を用い、回転した時にＥＬパネル１０が点灯するように検出スイッチと連動させることによって、視覚性を高めることもできる。
【００３０】
【発明の効果】
本発明により、ＥＬパネルを点灯したときにキャラクタやロゴ等が表現できる機能を持ったＥＬパネル付き電子時計において、ＥＬパネルを指針駆動装置等で回転させる回転型ＥＬパネル構造としたので、動的画像に接する機会が多い現代のユーザーの視覚を心地よく刺激することができるＥＬパネルを備えた電子時計を提供することができた。しかも、前記回転型ＥＬパネル構造は、従来のＥＬパネルを備えた指針式電子時計の基本的構造をそのまま利用して構成できるので、回転型ＥＬパネルを備えたＥＬパネル付き電子時計を低価格で提供することができた。
【図面の簡単な説明】
【図１】本発明の第１実施形態のＥＬパネル付き電子時計の平面図である。
【図２】本発明の第１実施形態のＥＬパネル付き電子時計の断面図である。
【図３】本発明の第２実施形態のＥＬパネル付き電子時計の平面図である。
【図４】本発明の第２実施形態のＥＬパネル付き電子時計の断面図である。
【図５】本発明の第３実施形態のＥＬパネル付き電子時計の平面図である。
【図６】本発明の第３実施形態のＥＬパネル付き電子時計の断面図である。
【図７】従来のＥＬパネル付き電子時計の断面図である。
【符号の説明】
１０  ＥＬパネル
１１  第１ＥＬ素子端子
１２  第２ＥＬ素子端子
２１  第１ＥＬ導通端子
２２  第２ＥＬ導通端子
３１  ＥＬパネル回転用歯車
３２  ＥＬパネル歯形
３３  減速輪列
３４  外部動力伝達歯車
４１  ハウジング
４２  ＥＬパネル保持部ハウジング
４３  ＥＬ導通端子反発力保持部
５１  指針駆動装置
５２  指針
６１  ＥＬ点灯回路
７１  ケース
７２  リューズ
７３  文字板
【図１】
2004198170.tif 000003
【図２】
2004198170.tif 000004
【図３】
2004198170.tif 000005
【図４】
2004198170.tif 000006
【図５】
2004198170.tif 000007
【図６】
2004198170.tif 000008
【図７】
2004198170.tif 000009